(57)【特許請求の範囲】
【請求項１】
外部の電源側から供給された電流を負荷側へ導通させる複数の電流線と、
前記複数の電流線のうち少なくとも一つに配置され、負荷側へ流れる電流を当該電流に正比例した磁界に変換する第１のコイル部と、
折り曲げ可能なシート状部材上に設けられ、前記第１のコイル部に係合し、前記第１のコイル部が発生した磁界に正比例した電流信号を発生する第２のコイル部と、
前記複数の電流線の電圧信号を検出する電圧検出手段と、
前記第２のコイル部が発生した電流信号と前記電圧検出手段が検出した電圧信号とを乗算し消費電力量を算出する電力演算手段と、
を備え、
前記第２のコイル部は、複数のコイルパターンを具備し、前記複数のコイルパターンは柔軟な前記シート状部材を折り曲げることにより重ねられて、前記第１のコイル部に係合させられることを特徴とする電力量計。
【請求項２】
外部の電源側から供給された電流を負荷側へ導通させる複数の電流線、
前記複数の電流線のうち少なくとも一つに配置され、負荷側へ流れる電流を当該電流に正比例した磁界に変換する第１のコイル部、及び、
折り曲げ可能なシート状部材上に設けられ、前記第１のコイル部に係合し、前記第１のコイル部が発生した磁界に正比例した電流信号を発生する第２のコイル部、
を具備した端子部と、
前記端子部の前記複数の電流線の電圧信号を検出する電圧検出手段、及び、
前記第２のコイル部が発生した電流信号と前記電圧検出手段が検出した電圧信号とを乗算し消費電力量を算出する電力演算手段、
を具備した電力量測定部と、
を有し、
前記第２のコイル部は、複数のコイルパターンを具備し、前記複数のコイルパターンは柔軟な前記シート状部材を折り曲げることにより重ねられて、前記第１のコイル部に係合させられることを特徴とする電力量計。
【請求項３】
請求項１または２に記載した電力量計において、
前記第２のコイル部は、
Ω字状のコイルパターンと、
前記コイルパターンの中心部に設けられた穴部と、
前記穴部から延び、前記Ω字状のコイルパターンの開口部に設けられた切り欠き部と、を具備し、
前記第２のコイル部は、前記切り欠き部から、前記第１のコイル部がとおされ、前記穴部にて前記第１のコイル部に係合されることを特徴とする電力量計。
【請求項４】
請求項１または２に記載した電力量計において、
前記第１のコイル部は、
Ω字状のコイルパターンと、
前記Ω字状のコイルパターンの外周に設けられた溝部分と、を具備し、
前記第２のコイル部は、前記第１のコイル部の溝部分に係合されることを特徴とする電力量計。
【請求項５】
請求項１〜４の何れか１項に記載した電力量計において、
前記第２のコイル部は、フレキシブルプリント基板上のパターンにより形成されたことを特徴とする電力量計。
【発明の詳細な説明】
【技術分野】
【０００１】
本発明は被測定系の使用電力量を測定する電力量計に関する。
【背景技術】
【０００２】
従来より、一般家庭や工場、事業所の使用電力量を測定する電力量計が普及してきている
。当該電力量計は被測定系の使用電力量を測定する使用量検出手段と、使用量検出手段で
検出した使用量をデータに編集する制御部と、制御部にて編集されたデータを表示する表示部とを具備している。（例えば特許文献１）
【特許文献１】特開昭６２−１２８６９号公報（第４頁、図１）
【発明の開示】
【発明が解決しようとする課題】
【０００３】
需要家の電力の使用量を測定する電力量計は、電力料金の取引きに使用されるものであ
るところ、電力量を正確に測定することが必要とされている。電力量は被測定系の交流電圧と交流電流を検出し乗算し、さらに積算することにより算出されるが、従来の電力量計には当該交流電流を検出する電流検出部として電流トランスが用いられていた。当該電流トランスには、トロイダルコアに巻き線を施したものが多く用いられていた。当該トロイダルコアは接合部がないドーナツ形状をしており、磁気的な特性が良好であるが、その反面、接合部がないため、トランスを構成する巻き線が巻かれにくく、製造に手間がかかるという問題点があった。このため電流検出部の製造に手間がかかり、その結果、電力量計全体が高価なものになっていた。
【０００４】
本発明は、製造に手間がかからない電流検出部を有する電力量計を提供することを目的とする。
【課題を解決するための手段】
【０００５】
上記目的を達成するため、請求項１に係る発明は、外部の電源側から供給された電流を負荷側へ導通させる複数の電流線と、前記複数の電流線のうち少なくとも一つに配置され、負荷側へ流れる電流を当該電流に正比例した磁界に変換する第１のコイル部と、折り曲げ可能なシート状部材上に設けられ、前記第１のコイル部に係合し、前記第１のコイル部が発生した磁界に正比例した電流信号を発生する第２のコイル部と、前記複数の電流線の電圧信号を検出する電圧検出手段と、前記第２のコイル部が発生した電流信号と前記電圧検出手段が検出した電圧信号とを乗算し消費電力量を算出する電力演算手段と、を備え、
前記第２のコイル部は、複数のコイルパターンを具備し、前記複数のコイルパターンは柔軟な前記シート状部材を折り曲げることにより重ねられて、前記第１のコイル部に係合させられることを特徴とする。
また、請求項２に係る発明は、外部の電源側から供給された電流を負荷側へ導通させる複数の電流線、前記複数の電流線のうち少なくとも一つに配置され、負荷側へ流れる電流を当該電流に正比例した磁界に変換する第１のコイル部、及び、折り曲げ可能なシート状部材上に設けられ、前記第１のコイル部に係合し、前記第１のコイル部が発生した磁界に正比例した電流信号を発生する第２のコイル部、を具備した端子部と、
前記端子部の前記複数の電流線の電圧信号を検出する電圧検出手段、及び、前記第２のコイル部が発生した電流信号と前記電圧検出手段が検出した電圧信号とを乗算し消費電力量を算出する電力演算手段、を具備した電力量測定部と、を有し、
前記第２のコイル部は、複数のコイルパターンを具備し、前記複数のコイルパターンは柔軟な前記シート状部材を折り曲げることにより重ねられて、前記第１のコイル部に係合させられることを特徴とする。
請求項３に係る発明は、請求項１または２に記載した電力量計において、前記第２のコイル部は、Ω字状のコイルパターンと、前記コイルパターンの中心部に設けられた穴部と、前記穴部から延び、前記Ω字状のコイルパターンの開口部に設けられた切り欠き部と、を具備し、前記第２のコイル部は、前記切り欠き部から、前記第１のコイル部がとおされ、前記穴部にて前記第１のコイル部に係合されることを特徴とする。
請求項４に係る発明は、請求項１または２に記載した電力量計において、前記第１のコイル部は、Ω字状のコイルパターンと、前記Ω字状のコイルパターンの外周に設けられた溝部分と、を具備し、前記第２のコイル部は、前記第１のコイル部の溝部分に係合されることを特徴とする。
請求項５に係る発明は、請求項１〜４の何れか１項に記載した電力量計において、前記第２のコイル部は、フレキシブルプリント基板上のパターンにより形成されたことを特徴とする。
【発明の効果】
【０００６】
本発明によれば、製造に手間がかからない電流検出部を有する電力量計を提供することができる。
【発明を実施するための最良の形態】
【０００７】
以下、本発明の実施例を説明する。
【実施例１】
【０００８】
本発明による電力量計の実施例１について図１，２を参照して説明する。なお、これらの図は単相二線式の電力量計について示す。
１００は端子ユニットで、後述する電力量測定ユニットと組合わされることにより電力量計を構成する。
【０００９】
１５０は電力量測定ユニットで、使用電力量を測定し表示する測定回路等を内蔵しており、端子ユニット１００と組合わされることにより電力量計を構成する。なお、電力量測定ユニット１５０は固定部１５１ａ，１５１ｂを介し、端子ユニット１００の固定部１０１ａ，１０１ｂにねじ１５２ａ，１５２ｂにて固定される。電力量測定ユニット１５０は端子部１００に着脱可能な構造となっている。
【００１０】
次に、端子ユニット１００の構造を図２（ａ）に基づき、電力量測定ユニット１５０の構造を図２（ｂ）に基づき説明する。
【００１１】
最初に端子ユニット１００の構造について説明する。
【００１２】
２０１は端子ユニット筐体で樹脂等により構成されており、各部品を保持している。
【００１３】
２０２は１側電源側用端子で導電性金属により構成されており、外部の電源側から供給される１側電源側導線が接続される。
【００１４】
２０３は１側負荷側用端子で導電性金属により構成されており、需要家の負荷側に供給される１側負荷側導線が接続される。
【００１５】
２０４は２側電源側用端子で導電性金属により構成されており、外部の電源側から供給される２側電源側導線が接続される。
２０５は２側負荷側用端子で導電性金属により構成されており、需要家の負荷側に供給される２側負荷側導線が接続される。
【００１６】
２０６は１側電流線で、１本の銅線等により構成されており、その片端は1側電源側用端
子２０２に、他端は1側負荷側用端子２０３にねじ等（図中不示）にて接続され電源側か
ら負荷側へ電流を導通させる。１側電流線２０６の外観を図３に示す。１側電流線２０６
は中ほどにコイル部３０１を有している。コイル部３０１は、さらに溝部分３０２を有しており、後述する２次コイル部２０７と係合する。１側電流線２０６は端子ユニット１００の端子ユニット筐体２０１に覆われていて外部からは直接目視することができない。なお、図３における1側電流線は、金属材料で構成されたコイル部３０１と、樹脂材料等で
構成された溝部分３０２とを係合する構造としてもよい。
【００１７】
２０７は２次コイル部で、柔軟なプラスチック板に貼り付けられたコイル状に形成された線材や、コイルのパターンを有するフレキシブルプリント基板等により構成されており、前記１側電流線２０６のコイル部３０１にて変換された１側電流線２０６に流れる電流に正比例した磁界を検出し、低レベルの電流信号に変換し端子部２０８、２０９に出力する。２次コイル部２０７は、１側電流線２０６のコイル部３０１の溝部分３０２に係合され、1側電源側用端子２０２から1側負荷側用端子２０３に流れる電流を、例えば１ｍＡ〜１００ｍＡ等の正比例した低レベルの電流に変換する。
【００１８】
２０８、２０９は端子部で銅等の導電性金属により構成されており、２次コイル部２０７のコイルの両端に電気的に接続され、２次コイル部２０７にて変換された、１側電流線２０６を介し1側電源側用端子２０２から1側負荷側用端子２０３に流れる電流に正比例した低レベルの電流を出力する。
【００１９】
２１０は２側電流線で、１本の銅線等により構成されており、その片端は２側電源側用端子２０４に、他端は２側負荷側用端子２０５にねじ等（図中不示）にて接続され電源側から負荷側へ電流を導通させる。
２１１、２１２は端子部で、銅等の導電性金属により構成されており、それぞれ１側電流線２０６、２側電流線２１０に電気的に接続され、１側電源側用端子２０２、２側電源側用端子２０４に現れる電位を出力する。
【００２０】
次に電力量測定ユニット１５０の構造について説明する。
【００２１】
２５１は電力量測定ユニット筐体で風雨に耐えるような例えばポリカーボネイトのような樹脂により構成されており、内部電子部品等各部品をカバーする。
２５２はプリント基板で電子部品等の各部品を保持している。
【００２２】
２５３および２５４は端子部で、銅等の導電性金属により構成されており、端子ユニット１００内の端子２０８および２０９に電気的に接続され、２次コイル部２０７により出力された、１側電流線２０６に流れる電流に正比例した低レベルの電流を検出する。
【００２３】
２５５および２５６は端子部で、銅等の導電性金属により構成されており、端子ユニット１００内の端子部２１１および２１２に電気的に接続され、それぞれ１側電流線２０６、２側電流線２１０に現れる電位を検出する。
【００２４】
２５７は電力演算部でいわゆるＡ−Ｄコンバータやマイクロコンピュータ等の半導体部品等により構成されており、端子部２５３、２５４にて検出された1側電源側用端子２０
２から1側負荷側用端子２０３に流れる電流に正比例した低レベルの電流と、端子部２５
５、２５６にて検出された、端子部２１１ならびに端子部２１２から出力された電位から、被測定系の使用電力量を算出し表示する。
【００２５】
次に、本実施例の動作につき、説明する。
【００２６】
２次コイル部２０７は、１側電流線２０６のコイル部３０１に取り付けられる前は図４に示すように、一枚のシート状の形状をしている。２次コイル部２０７は、柔軟なプラスチック板に貼り付けられたコイル状に形成された線材や、コイルのパターンを有するフレキシブルプリント基板等により構成されており、折りたたまれて１側電流線２０６のコイル部３０１に取り付けられる。
【００２７】
一例として２次コイル部２０７の具体的構成例について説明する。４０１は例えば片面パターンのフレキシブルプリント基板である。４０２は第一のコイルパターンであり第一の切欠き部４０３を持つ第一の穴部４０４の周囲を囲むように設けられている。４０５は第二のコイルパターンであり第二の切欠き部４０６を持つ第二の穴部４０７の周囲を囲むように設けられている。また、第一のコイルパターン４０２と第二のコイルパターン４０５は、パターン４０８、４０９により電気的に接続されている。第一のコイルパターン４０２と第二のコイルパターン４０５はこれにより電気的に接続され、電気的な両端は前述の端子部２０８、２０９に接続される。また、４１０は中空部でありフレキシブルプリント基板４０１の中央部分に設けられた穴である。
【００２８】
２次コイル部２０７は、１側電流線２０６のコイル部３０１に取り付けられ一体となって1側電源側用端子２０２から1側負荷側用端子２０３に流れる電流を低レベルの電流に変換する電流トランスを構成する。
【００２９】
２次コイル部２０７は、以下の手順にて１側電流線２０６のコイル部３０１に取り付けられる。まず２次コイル部２０７の第一の切欠き部４０３が開かれ、１側電流線２０６のコイル部３０１に通され、第一の穴部４０４が１側電流線２０６のコイル部３０１の溝部分３０２を囲むように取り付けられる。次に２次コイル部２０７の折り曲げ部４１１、４１２が谷折に折り曲げられ、中空部４１０が１側電流線２０６のコイル部３０１にとおされる。次に２次コイル部２０７の折り曲げ部４１３、４１４が山折に折り曲げられ、２次コイル部２０７の第二の切欠き部４０６が開かれ、１側電流線２０６のコイル部３０１に通され、第二の穴部４０７が１側電流線２０６のコイル部３０１の溝部分３０２を囲むように取り付けられる。その結果、２次コイル部２０７は図２の（ａ）の側面図に示すとおり１側電流線２０６のコイル部３０１に取り付けられる。
【００３０】
なお端子部２０８，２０９は、端子ユニット１００の端子ユニット筐体２０１表面に配置される。
【００３１】
端子ユニット１００と電力量測定ユニット１５０は以下のように取り付けられ電力量計を構成する。
【００３２】
端子ユニット１００の端子部２０８，２０９は２次コイル部２０７のコイルの両端に電気的に接続され、２次コイル部２０７にて変換された、１側電流線２０６を介し1側電源
側用端子２０２から1側負荷側用端子２０３に流れる電流に正比例した低レベルの電流が
出力されている。端子部２０８，２０９は端子ユニット１００の端子ユニット筐体２０１表面に配置されている。
【００３３】
電力量測定ユニット１５０の端子部２５３，２５４は、端子ユニット１００内の端子部２０８および２０９に電気的に接続され、２次コイル部２０７により出力された低レベルの電流が入力される。
【００３４】
端子ユニット１００の端子部２１１，２１２には、１側電源側用端子２０２、２側電源側用端子２０４に現れる電位が出力されている。端子部２１１，２１２は端子ユニット１００の端子ユニット筐体２０１表面に配置されている。
【００３５】
電力量測定ユニット１５０の端子部２５５，２５６は、端子ユニット１００内の端子部２１１および２１２に電気的に接続され、それぞれ１側電流線２０６、２側電流線２１０に現れる電位が入力される。
【００３６】
電力演算部２５７は、いわゆるＡ−Ｄコンバータやマイクロコンピュータ等の半導体部品等により構成されており、端子部２５３、２５４にて検出された1側電源側用端子２０
２から1側負荷側用端子２０３に流れる電流に正比例した低レベルの電流と、端子部２５
５、２５６にて検出された、端子部２１１ならびに端子部２１２から出力された電位から電圧を求め、電流、電圧を乗算し積算することにより、被測定系の使用電力量を算出し表示する。
【００３７】
次に、実際の使用状態における、端子ユニット１００と電力量測定ユニット１５０との取り付け、取り外し方法について説明する。
【００３８】
端子ユニット１００は需要家の家屋壁面等に取り付けられており、１側電源側用端子２０２、２側電源側用端子２０４には電力給電会社からの給電線が接続され、１側負荷側用端子２０３、２側負荷側用端子２０５には屋内の負荷へ電力を給電するための、給電線が接続されている。電力量計の使用可能期間満了時や電力供給会社の変更時等に、端子ユニット１００は家屋壁面に残置されたまま、電力量測定ユニット１５０が交換される。当該交換は電力量測定ユニット１５０を端子ユニット１００に対し取付け、取外すことにより行われる。
【００３９】
電力量測定ユニット１５０の取付けは以下の手順にて行われる。
【００４０】
まず、電力量測定ユニット１５０が家屋壁面に取付けられている端子ユニット１００に重ね合わされる。次に、電力量測定ユニット１５０の固定部１５１ａ，１５１ｂを介し、端子ユニット１００の固定部１０１ａ，１０１ｂにネジ１５２ａ、１５２ｂが螺合される。ネジ１５２ａ，１５２ｂは封印ネジと呼ばれるワイヤ付のネジで、そのワイヤ（図中不示）はワイヤ固定部１０２ａ，１０２ｂに固定される。上記のような手順で電力量測定ユ
ニット１５０は端子ユニット１００に固定される。
【００４１】
電力量測定ユニット１５０が端子ユニット１００に固定されると、電力量測定ユニット１５０の端子部２５３，２５４は、端子ユニット１００内の端子２０８および２０９に電気的に接続され、２次コイル部２０７により出力された、１側電流線２０６に流れる電流に正比例した低レベルの電流が電力演算部２５７に伝達される。
【００４２】
端子部２５５，２５６は、端子ユニット１００内の端子部２１１および２１２に電気的に接続され、それぞれ１側電流線２０６、２側電流線２１０に現れる電位が電力演算部２５７に伝達される。
【００４３】
端子部２５５、２５６にて検出された１側電源側用端子２０２、２側電源側用端子２０４間の電圧、端子部２５３、２５４にて検出された１側電流線２０６に流れる電流に正比例した電流は、電力演算部２５７にて乗算され被測定系の使用電力量として算出され表示される。
【００４４】
次に電力量測定ユニット１５０を取外す場合について説明する。電力量計は電気料金の
取引きに用いられるところ計量法にて、決められた期間のみ使用が許されており、当該期間が満了した場合は交換することが必要とされる。また、電力量計が故障した場合も交換
することが必要とされる。電力量測定ユニット１５０を取外しは以下の手順で行われる。
【００４５】
先ず封印ネジのワイヤ（図中不示）がワイヤ固定部１０２ａ，１０２ｂから外され、端子ユニット１００に電力量測定ユニット１５０を固定しているネジ１５２ａ，１５２ｂが外される。次に電力量測定ユニット１５０が端子ユニット１００から外される。電力量測定ユニット１５０の端子部２５５、２５６は、端子ユニット１００の端子部２１１、２１２に接触しているのみであり、電力量測定ユニット１５０の端子部２５３、２５４は、端子ユニット１００の端子部２０８、２０９に接触しているのみであるため、２本のネジ１５２ａ，１５２ｂが外されることにより電力量測定ユニット１５０は端子ユニット１００から取外されることが可能となる。
電力量計の交換作業は、検定制度に決められている使用可能期間満了時に行われており、電力量計の交換頻度は１０年等の長期間であった。従来、電力を使用する需要家は、一つの電力会社から電力を購入することしかできず、当該需要家が使用可能期間中程で購入先である電力会社を変更することは考えられなかった。従って、使用可能期間中程で電力量計を交換する必要性は原則生じなかった。しかし、電力自由化が促進され一定の電力会社以外の新規の電力供給会社も電力を販売することが可能となった。需要家は自由に電力供給会社を選択できるようになった。需要家に設置されている電力量計の所有権は電力供給会社にある場合が多いため、需要家が電力供給会社を変更する都度、電力量計の交換が行われる可能性がある。需要家は有利な電力料金やサービスを求めるため、この電力供給会社の変更は頻繁に行われることも考えられる。また、各電力供給会社は独自の料金メニューやサービスを需要家に供給するため、需要家に設置される電力量計の機能は各電力供給会社により異なり、電力量計を共通化することは困難である。従来の電力量計では、交換を行う場合、端子ブロック部の多数のネジ着脱作業が必要であり、頻繁に電力量計の交換を行うには作業が煩雑であったという問題点があった。本実施例を用いれば、少ない本
数のネジの着脱にて電力量測定ユニット１５０の交換を行うことができる。
また、本実施例を用いれば電力量測定ユニット１５０のみ交換することができるので、従来の電力量計の交換時のように導線が遊んでしまうこともなく、作業が行いやすく、導線どうしの短絡も無く安全に交換作業を行うことができる。
以上のように本実施例を用いれば、巻き線を巻くのに手間がかかるトロイダルコアを用いた電流トランスを使用していないため、電流検出部の製造に手間がかからず、その結果、電力量計全体のコストを抑えることができる。
【００４６】
以上のように、本発明を用いれば、製造に手間がかからない電流検出部を有する電力量計を提供することができる。
【実施例２】
【００４７】
本発明による電力量計の実施例２について図５、図６を参照して説明する。なお、図５は単相二線式の電力量計である。
図５において、実施例１と相違する点は、実施例１では端子ユニット１００に２次コイル部２０７を有していたが、実施例２では端子ユニット１００に２次コイル部５０１を有している点である。
【００４８】
図５において５０１は２次コイル部で、柔軟なプラスチック板に貼り付けられたコイル状に形成された線材や、コイルのパターンを有するフレキシブルプリント基板等により構成されており、１側電流線２０６のコイル部３０１にて変換された１側電流線２０６に流れる電流に正比例した磁界を検出し、低レベルの電流信号に変換し端子部５０２、５０３に出力する。２次コイル部５０１は、１側電流線２０６のコイル部３０１の溝部分３０２に係合され、1側電源側用端子２０２から1側負荷側用端子２０３に流れる電流が、例えば１ｍＡ〜１００ｍＡ等の正比例した低レベルの電流に変換される。
【００４９】
５０２、５０３は端子部で銅等の導電性金属により構成されており、２次コイル部５０１のコイルの両端に電気的に接続され、２次コイル部５０１にて変換された、１側電流線２０６を介し1側電源側用端子２０２から1側負荷側用端子２０３に流れる電流に正比例した低レベルの電流を出力する。
【００５０】
図６に２次コイル部５０１の構造を示す。６０１は例えば片面パターンのフレキシブルプリント基板である。６０２は第一のコイルパターンであり第一の切欠き部６０３を持つ第一の穴部６０４の周囲を囲むように設けられている。６０５は第二のコイルパターンであり第二の切欠き部６０６を持つ第二の穴部６０７の周囲を囲むように設けられている。
【００５１】
また、第一のコイルパターン６０２と第二のコイルパターン６０５は、パターン６０８、６０９により電気的に接続されている。第一のコイルパターン６０２と第二のコイルパターン６０５はこれにより電気的に接続され、電気的な両端は前述の端子部５０２、５０３に接続される。
【００５２】
２次コイル部５０１は、１側電流線２０６のコイル部３０１に取り付けられ一体となって1側電源側用端子２０２から1側負荷側用端子２０３に流れる電流を低レベルの電流に変換する電流トランスを構成する。
【００５３】
２次コイル部５０１は、以下の手順にて１側電流線２０６のコイル部３０１に取り付けられる。まず２次コイル部５０１の第一の切欠き部６０３が開かれ、１側電流線２０６のコイル部３０１が通され、第一の穴部６０４が１側電流線２０６のコイル部３０１の溝部分３０２を囲むように取り付けられる。次に２次コイル部５０１の折り曲げ部６１０が谷折に折り曲げられ、２次コイル部５０１の第二の切欠き部６０６が開かれ、１側電流線２０６のコイル部３０１が通され、第二の穴部６０７が１側電流線２０６のコイル部３０１の溝部分３０２を囲むように取り付けられる。その結果、２次コイル部５０１は図５の（ａ）の側面図に示すとおり１側電流線２０６のコイル部３０１に取り付けられる。
【００５４】
なお端子部５０２、５０３は、端子ユニット１００の端子ユニット筐体２０１表面に配置される。
【００５５】
端子ユニット１００と電力量測定ユニット１５０は以下のように取り付けられ電力量計を構成する。
【００５６】
端子ユニット１００の端子部５０２、５０３は２次コイル部５０１のコイルの両端に電気的に接続され、２次コイル部５０１にて変換された、１側電流線２０６を介し1側電源
側用端子２０２から1側負荷側用端子２０３に流れる電流に正比例した低レベルの電流が
出力されている。端子部５０２、５０３は端子ユニット１００の端子ユニット筐体２０１表面に配置されている。
【００５７】
電力量測定ユニット１５０の端子部２５３，２５４は、端子ユニット１００内の端子部５０２および５０３に電気的に接続され、２次コイル部５０１により出力された低レベルの電流が入力される。
【００５８】
端子ユニット１００の端子部２１１，２１２は１側電流線２０６、２側電流線２１０に電気的に接続され、１側電源側用端子２０２、２側電源側用端子２０４に現れる電位が出力されている。端子部２１１，２１２は端子ユニット１００の端子ユニット筐体２０１表面に配置されている。
【００５９】
電力量測定ユニット１５０の端子部２５５，２５６は、端子ユニット１００内の端子部２１１および２１２に電気的に接続され、それぞれ１側電流線２０６、２側電流線２１０に現れる電位が入力される。
【００６０】
電力演算部２５７は、いわゆるＡ−Ｄコンバータやマイクロコンピュータ等の半導体部品等により構成されており、端子部２５３、２５４にて検出された1側電源側用端子２０
２から1側負荷側用端子２０３に流れる電流に正比例した低レベルの電流と、端子部２５
５、２５６にて検出された、端子部２１１ならびに端子部２１２から出力された電位から電圧を求め、電流、電圧を乗算し積算することにより、被測定系の使用電力量を算出し表示する。
【００６１】
以上のように本実施例を用いれば、巻き線を巻くのに手間がかかるトロイダルコアを用いた電流トランスを使用していないため、電流検出部の製造に手間がかからず、その結果、電力量計全体のコストを抑えることができる。
【００６２】
以上のように、本発明を用いれば、製造に手間がかからない電流検出部を有する電力量計を提供することができる。
【実施例３】
【００６３】
本発明による電力量計の実施例３について図７を参照して説明する。
【００６４】
実施例３が実施例１ならびに実施例２と相違する点は、実施例１と実施例２では２次コイル部に２つのコイルパターンを有していたが、実施例３では４つのコイルパターンを有している点である。その他、端子ユニット１００、電力量測定ユニット１５０の構造は図２に示す実施例１と同様である。
【００６５】
図７において７０１は２次コイル部で、柔軟なプラスチック板に貼り付けられたコイル状に形成された線材や、コイルのパターンを有するフレキシブルプリント基板等により構成されており、１側電流線２０６のコイル部３０１にて変換された１側電流線２０６に流れる電流に正比例した磁界を検出し、低レベルの電流信号に変換し端子部７０２、７０３に出力する。２次コイル部７０１は、１側電流線２０６のコイル部３０１の溝部分３０２に係合され、1側電源側用端子２０２から1側負荷側用端子２０３に流れる電流が、例えば１ｍＡ〜１００ｍＡ等の正比例した低レベルの電流に変換される。
【００６６】
７０２、７０３は端子部で銅等の導電性金属により構成されており、２次コイル部７０１のコイルの両端に電気的に接続され、２次コイル部７０１にて変換された、１側電流線２０６を介し1側電源側用端子２０２から1側負荷側用端子２０３に流れる電流に正比例した低レベルの電流を出力する。
【００６７】
７０４は例えば片面パターンのフレキシブルプリント基板である。
【００６８】
７０５は第一のコイルパターンであり第一の切欠き部７０６を持つ第一の穴部７０７の周囲を囲むように設けられている。
【００６９】
７０８は第二のコイルパターンであり第二の切欠き部７０９を持つ第二の穴部７１０の周囲を囲むように設けられている。
【００７０】
７１１は第三のコイルパターンであり第三の切欠き部７１２を持つ第二の穴部７１３の周囲を囲むように設けられている。
【００７１】
７１４は第四のコイルパターンであり第四の切欠き部７１５を持つ第二の穴部７１６の周囲を囲むように設けられている。
【００７２】
また、第一のコイルパターン７０５、第二のコイルパターン７０８、第三のコイルパターン７１１、第四のコイルパターン７１４間は、それぞれパターン７１７、７１８、７１９、７２０により電気的に接続されている。各コイルパターンはこれにより電気的に接続され、電気的な両端は前述の端子部７０２、７０３に接続される。
【００７３】
７２１は２次コイル部７０１中央に設けられた中空部である。
【００７４】
２次コイル部７０１は、１側電流線２０６のコイル部３０１に取り付けられ一体となって1側電源側用端子２０２から1側負荷側用端子２０３に流れる電流を低レベルの電流に変換する電流トランスを構成する。
【００７５】
２次コイル部７０１は、以下の手順にて１側電流線２０６のコイル部３０１に取り付けられる。
【００７６】
まず２次コイル部５０１の第一の切欠き部７０６が開かれ、１側電流線２０６のコイル部３０１が通され、第一の穴部７０７が１側電流線２０６のコイル部３０１の溝部分３０２を囲むように取り付けられる。
【００７７】
次に２次コイル部５０１の折り曲げ部７２２が谷折に、折り曲げ部７２３が山折に折り曲げられ、２次コイル部７０１の第二の切欠き部７０９が開かれ、１側電流線２０６のコイル部３０１が通され、第二の穴部７１０が１側電流線２０６のコイル部３０１の溝部分３０２を囲むように取り付けられる。その結果、２次コイル部５０１は図５の（ａ）の側面図に示すとおり１側電流線２０６のコイル部３０１に取り付けられる。
【００７８】
次に２次コイル部５０１の折り曲げ部７２４が谷折に、折り曲げ部７２５が山折に折り曲げられ、２次コイル部７０１の第三の切欠き部７１２が開かれ、１側電流線２０６のコイル部３０１が通され、第三の穴部７１３が１側電流線２０６のコイル部３０１の溝部分３０２を囲むように取り付けられる。
【００７９】
次に２次コイル部５０１の折り曲げ部７２６ならびに折り曲げ部７２７が谷折に、折り曲げ部７２８ならびに折り曲げ部７２９が山折に折り曲げられ、２次コイル部７０１の第四の切欠き部７１５が開かれ、１側電流線２０６のコイル部３０１が通され、第四の穴部７１６が１側電流線２０６のコイル部３０１の溝部分３０２を囲むように取り付けられる。
【００８０】
その結果、２次コイル部７０１は１側電流線２０６のコイル部３０１に取り付けられる。
【００８１】
なお端子部７０２、７０３は、端子ユニット１００の端子ユニット筐体２０１表面に配置される。
【００８２】
端子ユニット１００と電力量測定ユニット１５０は以下のように取り付けられ電力量計を構成する。
【００８３】
端子ユニット１００の端子部７０２、７０３は２次コイル部７０１のコイルの両端に電気的に接続され、２次コイル部７０１にて変換された、１側電流線２０６を介し1側電源
側用端子２０２から1側負荷側用端子２０３に流れる電流に正比例した低レベルの電流が
出力されている。端子部７０２、７０３は端子ユニット１００の端子ユニット筐体２０１表面に配置されている。
【００８４】
電力量測定ユニット１５０の端子部２５３，２５４は、端子ユニット１００内の端子部７０２および７０３に電気的に接続され、２次コイル部７０１により出力された低レベルの電流が入力される。
【００８５】
端子ユニット１００の端子部２１１，２１２は１側電流線２０６、２側電流線２１０に電気的に接続されており、１側電源側用端子２０２、２側電源側用端子２０４に現れる電位が出力されている。端子部２１１，２１２は端子ユニット１００の端子ユニット筐体２０１表面に配置されている。
【００８６】
電力量測定ユニット１５０の端子部２５５，２５６は、端子ユニット１００内の端子部２１１および２１２に電気的に接続され、それぞれ１側電流線２０６、２側電流線２１０に現れる電位が入力される。
【００８７】
電力演算部２５７は、いわゆるＡ−Ｄコンバータやマイクロコンピュータ等の半導体部品等により構成されており、端子部２５３、２５４にて検出された1側電源側用端子２０
２から1側負荷側用端子２０３に流れる電流に正比例した低レベルの電流と、端子部２５
５、２５６にて検出された、端子部２１１ならびに端子部２１２から出力された電位から電圧を求め、電流、電圧を乗算し積算することにより、被測定系の使用電力量を算出し表示する。
【００８８】
以上のように本実施例を用いれば、巻き線を巻くのに手間がかかるトロイダルコアを用いた電流トランスを使用していないため、電流検出部の製造に手間がかからず、その結果、電力量計全体のコストを抑えることができる。
【００８９】
以上のように、本発明を用いれば、製造に手間がかからない電流検出部を有する電力量計を提供することができる。
【図面の簡単な説明】
【００９０】
【図１】本発明による電力量計の実施例１の構成を示す構成図
【図２】本発明による電力量計の実施例１の内部構造を示す内部構造図
【図３】本発明による電力量計の実施例１の１側電流線の構造を示す構造図
【図４】本発明による電力量計の実施例１の２次コイル部の構造を示す構造図
【図５】本発明による電力量計の実施例２の内部構造を示す内部構造図
【図６】本発明による電力量計の実施例２の２次コイル部の構造を示す構造図
【図７】本発明による電力量計の実施例３の２次コイル部の構造を示す構造図
【符号の説明】
【００９１】
１００    端子ユニット
１０１ａ，１０１ｂ    固定部
１０２ａ，１０２ｂ    ワイヤ固定部
１５０    電力量測定ユニット
１５１ａ，１５１ｂ    固定部
１５２ａ，１５２ｂ    ねじ
２０１    端子ユニット筐体
２０２    1側電源側用端子
２０３    1側負荷側用端子
２０４    ２側電源側用端子
２０５    ２側負荷側用端子
２０６    1側電流線
２０７    ２次コイル部
２０８、２０９    端子部
２１０    ２側電流線
２１１、２１２    端子部
２５１    電力量測定ユニット筐体
２５２    プリント基板
２５３、２５４    端子部
２５５、２５６    端子部
２５７    電力演算部
３０１    コイル部
３０２    溝部分
４０１    フレキシブルプリント基板
４０２    コイルパターン
４０３    切欠き部
４０４    穴部
４０５    コイルパターン
４０６    切欠き部
４０７    穴部
４０８、４０９    パターン
４１０    中空部
４１１、４１２、４１３、４１４    折り曲げ部
５０１    ２次コイル部
５０２、５０３    端子部
６０１    フレキシブルプリント基板
６０２    コイルパターン
６０３    切欠き部
６０４    穴部
６０５    コイルパターン
６０６    切欠き部
６０７    穴部
６０８、６０９    パターン
６１０    折り曲げ部
７０１    ２次コイル部
７０２、７０３    端子部
７０４    フレキシブルプリント基板
７０５    コイルパターン
７０６    切欠き部
７０７    穴部
７０８    コイルパターン
７０９    切欠き部
７１０    穴部
７１１    コイルパターン
７１２    切欠き部
７１３    穴部
７１４    コイルパターン
７１５    切欠き部
７１６    穴部
７１７、７１８、７１９、７２０    パターン
７２１    中空部
７２２、７２３、７２４、７２５、７２６、７２７、７２８、７２９    折り曲げ部
【図１】
0005100333.tif 000002
【図２】
0005100333.tif 000003
【図３】
0005100333.tif 000004
【図４】
0005100333.tif 000005
【図５】
0005100333.tif 000006
【図６】
0005100333.tif 000007
【図７】
0005100333.tif 000008